(57)【要約】【課題】撮像（カメラ）機能付きの携帯電話端末で撮影した画像をオンラインプリントする際に、発注者が手軽にプリントできるようにする。【解決手段】携帯電話端末２は、携帯電話端末２で撮影された画像データを圧縮して圧縮データを生成し、インターネット７経由でセンターサーバ３あてに送信する。センターサーバ３は、プリント画像の受取方法（店舗での受取か宅配による受取か）に応じて画像データの出力場所を振り分けて、店舗サーバ５またはラボサーバ６に圧縮データを転送する。店舗サーバ５またはラボサーバ６は、圧縮データをインターネット７経由で受信し、解凍して元の画像データを生成し、店舗プリンター８またはラボプリンター９で画像を適正な印刷サイズで印刷する。これにより、画像データのやり取りが携帯電話端末２から店舗サーバ５またはラボサーバ６まで圧縮データとして圧縮状態で行われる。【選択図】図１
2008305334.tif 000002
【特許請求の範囲】
【請求項１】
通信機能および撮像機能を備えたモバイル端末が通信ネットワークを通じて画像処理サーバに接続された画像プリントシステムであって、
前記モバイル端末は、当該モバイル端末で撮影された画像データを圧縮して圧縮データを生成した後、この圧縮データを前記通信ネットワーク経由で送信し、
前記画像処理サーバは、前記圧縮データを前記通信ネットワーク経由で受信した後、この圧縮データを解凍して元の画像データを生成し、この画像データをプリンターに出力して画像を印刷することを特徴とする画像プリントシステム。
【請求項２】
通信機能および撮像機能を備えたモバイル端末が通信ネットワークを通じてセンターサーバおよび複数の画像処理サーバに接続された画像プリントシステムであって、
前記モバイル端末は、当該モバイル端末で撮影された画像データを圧縮して圧縮データを生成した後、この圧縮データを前記通信ネットワーク経由で前記センターサーバあてに送信し、
前記センターサーバは、印刷物の受取方法に応じて前記画像データの出力場所を振り分けて、前記複数の画像処理サーバのうち特定の画像処理サーバに前記圧縮データを転送し、
前記特定の画像処理サーバは、前記圧縮データを前記通信ネットワーク経由で受信した後、この圧縮データを解凍して元の画像データを生成し、この画像データをプリンターに出力して画像を印刷することを特徴とする画像プリントシステム。
【請求項３】
前記モバイル端末は、前記画像データを圧縮するときに、当該画像データの画質劣化を回避することを特徴とする請求項１または２に記載の画像プリントシステム。
【請求項４】
前記モバイル端末は、前記画像データを圧縮するときに、当該画像データを印刷サイズに合わせてリサイズすることを特徴とする請求項１乃至３のいずれかに記載の画像プリントシステム。
【請求項５】
通信機能および撮像機能を備えたモバイル端末で撮影された画像をプリントする画像プリント方法であって、
前記モバイル端末で撮影された画像の画像データが圧縮されて圧縮データが生成された後、この圧縮データが送信される圧縮送信工程と、
この圧縮データが、受信された後、解凍されて元の画像データが生成され、この画像データが出力されて画像が印刷される解凍印刷工程とを備えていることを特徴とする画像プリント方法。
【請求項６】
印刷物の受取方法に応じて前記画像データの出力場所が振り分けられるデータ振り分け工程を備えていることを特徴とする請求項５に記載の画像プリント方法。
【請求項７】
発注者の要望に応じて印刷物の受取先が選定される受取先選定工程を備えていることを特徴とする請求項５または６に記載の画像プリント方法。
【請求項８】
前記圧縮送信工程において、前記画像データが印刷サイズに合わせてリサイズされることを特徴とする請求項５乃至７のいずれかに記載の画像プリント方法。
【請求項９】
モバイル端末に、画像を撮影して画像データを生成する処理と、この画像データを圧縮して圧縮データを生成する処理と、この圧縮データを送信する処理とを実行させることを特徴とするプログラム。
【請求項１０】
画像処理サーバに、圧縮データを受信する処理と、この圧縮データを解凍して元の画像データを生成する処理と、この画像データを出力して画像を印刷する処理とを実行させることを特徴とするプログラム。
【請求項１１】
センターサーバに、印刷物の受取方法に応じて画像データの出力場所を振り分ける処理を実行させることを特徴とするプログラム。
【請求項１２】
センターサーバに、出力確認情報に基づいて仕上がりメールを送信する処理を実行させることを特徴とするプログラム。
【発明の詳細な説明】
【技術分野】
【０００１】
本発明は、撮像（カメラ）機能付きの携帯電話端末その他のモバイル端末で撮影した画像をオンラインプリントする際に適用するに好適な画像プリントシステム、画像プリント方法およびプログラムに関するものである。
【背景技術】
【０００２】
従来、撮像機能付きの携帯電話端末で撮影した画像をプリントする際には、画像データの格納先が内部メモリか外部メディアかの違いにより、次のような手段がとられていた。すなわち、画像データが内部メモリに格納されている場合は、携帯電話端末で画像データをメールに添付して送信した後、そのメールをパーソナルコンピュータで受信し、パーソナルコンピュータに接続されたプリンターに画像データを出力して画像を印刷する。一方、画像データが外部メディアに格納されている場合は、外部メディアを本体から取り外し、その外部メディアごと店舗（ＤＰＥショップ、コンビニエンス・ストアなど）に持ち込んで画像のプリントを依頼する。
【０００３】
ところが、画像データの格納先が内部メモリである場合、いちいちパーソナルコンピュータを立ち上げ、メール受信処理および印刷処理を実行しなければならないため、面倒である。一方、画像データの格納先が外部メディアである場合、プリントを注文するたびに店舗に足を運ぶ必要があるため、面倒である。
【０００４】
そこで、こうした面倒を避けるべく、携帯電話端末で撮影した画像のプリントをインターネット経由で注文する方法、すなわちオンラインプリント方法が提案されていた（例えば、特許文献１参照）。
【特許文献１】特開２００５−３１８５９号公報
【発明の開示】
【発明が解決しようとする課題】
【０００５】
しかしながら、一般にテキストデータなどと比べて画像データは重い（容量が大きい）ことから、オンラインプリント方法では次のような課題があった。
【０００６】
第１に、発注者（顧客）にとっては、画像データの送信に時間と費用がかかるため、あまり利便性が良好とは言えない。
【０００７】
第２に、キャリア（電気通信事業者）にとっては、重い画像データのやり取りで回線が占有されるため、前向きに取り組みにくい。
【０００８】
本発明は、このような事情に鑑み、発注者の利便性を高めるとともに、キャリアの取り組み姿勢を改善することにより、オンラインプリントの環境を整えることが可能な画像プリントシステム、画像プリント方法およびプログラムを提供することを目的とする。
【課題を解決するための手段】
【０００９】
かかる目的を達成するために、請求項１に記載の発明は、通信機能および撮像機能を備えたモバイル端末が通信ネットワークを通じて画像処理サーバに接続された画像プリントシステムであって、前記モバイル端末は、当該モバイル端末で撮影された画像データを圧縮して圧縮データを生成した後、この圧縮データを前記通信ネットワーク経由で送信し、前記画像処理サーバは、前記圧縮データを前記通信ネットワーク経由で受信した後、この圧縮データを解凍して元の画像データを生成し、この画像データをプリンターに出力して画像を印刷する画像プリントシステムとしたことを特徴とする。
【００１０】
請求項２に記載の発明は、通信機能および撮像機能を備えたモバイル端末が通信ネットワークを通じてセンターサーバおよび複数の画像処理サーバに接続された画像プリントシステムであって、前記モバイル端末は、当該モバイル端末で撮影された画像データを圧縮して圧縮データを生成した後、この圧縮データを前記通信ネットワーク経由で前記センターサーバあてに送信し、前記センターサーバは、印刷物の受取方法に応じて前記画像データの出力場所を振り分けて、前記複数の画像処理サーバのうち特定の画像処理サーバに前記圧縮データを転送し、前記特定の画像処理サーバは、前記圧縮データを前記通信ネットワーク経由で受信した後、この圧縮データを解凍して元の画像データを生成し、この画像データをプリンターに出力して画像を印刷する画像プリントシステムとしたことを特徴とする。
【００１１】
請求項３に記載の発明は、請求項１または２に記載の構成に加え、前記モバイル端末は、前記画像データを圧縮するときに、当該画像データの画質劣化を回避することを特徴とする。
【００１２】
請求項４に記載の発明は、請求項１乃至３のいずれかに記載の構成に加え、前記モバイル端末は、前記画像データを圧縮するときに、当該画像データを印刷サイズに合わせてリサイズすることを特徴とする。
【００１３】
請求項５に記載の発明は、通信機能および撮像機能を備えたモバイル端末で撮影された画像をプリントする画像プリント方法であって、前記モバイル端末で撮影された画像の画像データが圧縮されて圧縮データが生成された後、この圧縮データが送信される圧縮送信工程と、この圧縮データが、受信された後、解凍されて元の画像データが生成され、この画像データが出力されて画像が印刷される解凍印刷工程とを備えている画像プリント方法としたことを特徴とする。
【００１４】
請求項６に記載の発明は、請求項５に記載の構成に加え、印刷物の受取方法に応じて前記画像データの出力場所が振り分けられるデータ振り分け工程を備えていることを特徴とする。
【００１５】
請求項７に記載の発明は、請求項５または６に記載の構成に加え、発注者の要望に応じて印刷物の受取先が選定される受取先選定工程を備えていることを特徴とする。
【００１６】
請求項８に記載の発明は、請求項５乃至７のいずれかに記載の構成に加え、前記圧縮送信工程において、前記画像データが印刷サイズに合わせてリサイズされることを特徴とする。
【００１７】
請求項９に記載の発明は、モバイル端末に、画像を撮影して画像データを生成する処理と、この画像データを圧縮して圧縮データを生成する処理と、この圧縮データを送信する処理とを実行させるプログラムとしたことを特徴とする。
【００１８】
請求項１０に記載の発明は、画像処理サーバに、圧縮データを受信する処理と、この圧縮データを解凍して元の画像データを生成する処理と、この画像データを出力して画像を印刷する処理とを実行させるプログラムとしたことを特徴とする。
【００１９】
請求項１１に記載の発明は、センターサーバに、印刷物の受取方法に応じて画像データの出力場所を振り分ける処理を実行させるプログラムとしたことを特徴とする。
【００２０】
請求項１２に記載の発明は、センターサーバに、出力確認情報に基づいて仕上がりメールを送信する処理を実行させるプログラムとしたことを特徴とする。
【発明の効果】
【００２１】
請求項１に記載の発明によれば、画像データのやり取りがモバイル端末（携帯電話端末など）から画像処理サーバ（店舗サーバ、ラボサーバなど）まで圧縮データとして圧縮状態で行われることになる。したがって、画像データの送信にかかる時間と費用を削減することができるため、発注者の利便性を高めることが可能となる。また、重い画像データのやり取りで回線が占有される事態を避けることができるため、キャリアの取り組み姿勢を改善することが可能となる。それらの結果、オンラインプリントの環境が整備され、発注者がモバイル端末で撮影した画像を手軽にプリントすることが可能となる。
【００２２】
請求項２に記載の発明によれば、画像データのやり取りがモバイル端末（携帯電話端末など）から画像処理サーバ（店舗サーバ、ラボサーバなど）まで圧縮データとして圧縮状態で行われることになる。したがって、画像データの送信にかかる時間と費用を削減することができるため、発注者の利便性を高めることが可能となる。また、重い画像データのやり取りで回線が占有される事態を避けることができるため、キャリアの取り組み姿勢を改善することが可能となる。それらの結果、オンラインプリントの環境が整備され、発注者がモバイル端末で撮影した画像を手軽にプリントすることが可能となる。しかも、画像のプリントに際して、画像データの出力場所が印刷物の受取方法に応じて振り分けられるため、プリントの受注から受渡までの所要時間を短縮することができる。
【００２３】
請求項３に記載の発明によれば、画像データが圧縮に伴って画質劣化することがないため、印刷物（プリント画像など）を高品質に維持することができる。
【００２４】
請求項４に記載の発明によれば、画像処理サーバ側で圧縮データを解凍する手間が必要なくなるので、画像処理サーバにおける作業時間、ひいてはプリントの受注から受渡までの所要時間を短縮することができる。
【００２５】
請求項５に記載の発明によれば、請求項１と同様の作用効果を奏する。
【００２６】
請求項６に記載の発明によれば、画像のプリントに際して、画像データの出力場所が印刷物の受取方法に応じて振り分けられるため、プリントの受注から受渡までの所要時間を短縮することができる。
【００２７】
請求項７に記載の発明によれば、発注者の都合で印刷物の受取先を任意に決めることができるため、印刷物の受取時の利便性が向上する。
【００２８】
請求項８に記載の発明によれば、請求項４と同様の作用効果を奏する。
【発明を実施するための最良の形態】
【００２９】
以下、本発明の実施の形態について説明する。
［発明の実施の形態１］
【００３０】
図１乃至図２３には、本発明の実施の形態１を示す。
【００３１】
まず、構成を説明する。
【００３２】
画像プリントシステム１は、図１に示すように、携帯電話端末（モバイル端末）２、センターサーバ３、店舗サーバ（画像処理サーバ）５、ラボサーバ（画像処理サーバ）６および情報提供事業者サーバ１０から構成されており、これら携帯電話端末２、センターサーバ３、店舗サーバ５、ラボサーバ６はインターネット（通信ネットワーク）７に接続されている。さらに、店舗サーバ５には店舗プリンター（プリンター）８が接続されており、ラボサーバ６にはラボプリンター（プリンター）９が接続されている。
【００３３】
ここで、携帯電話端末２は、図２に示すように、折り畳み式のケーシング２０を有しており、ケーシング２０の内面（折り畳み時に内側に隠れる面）にはディスプレイ２１、電源ボタン２２、受信ボタン２３、センターキー２４、カーソルキー２５、１２個のダイヤルキー２６、アプリキー３１、マイク（送話口）２７、レシーバ（受話口）２８が設けられている。また、ケーシング２０の外面（折り畳み時に外側に現れる面）にはデジタルカメラ２９が組み込まれており、携帯電話端末２は、デジタルカメラ２９で画像を撮影して所定のファイル形式（例えば、ＪＰＧ形式）の画像データを生成する撮像機能（撮像プログラム）を備えている。さらに、ケーシング２０には内部メモリ３０が内蔵されており、内部メモリ３０には、画像プリント注文用アプリケーションと、デジタルカメラ２９で撮影された画像の画像データを圧縮して別のファイル形式の圧縮データを生成するためのファイル圧縮アプリケーションと、ＧＰＳ（全地球無線測位システム）を用いて携帯電話端末２の位置を三次元測位して店舗を検索するための店舗検索アプリケーションとが読み出し自在に格納されている。
【００３４】
また、センターサーバ３は、図１に示すように、携帯電話端末２から送信された圧縮データを受信する機能（プログラム）と、プリント画像の受取方法に応じて画像データの出力場所を振り分けて店舗サーバ５またはラボサーバ６に圧縮データを転送する機能（プログラム）と、ラボサーバ６や店舗サーバ５から送信された出力確認情報を受信して携帯電話端末２あてに仕上がりメールを送信する機能（プログラム）とを備えている。さらに、センターサーバ３には、携帯電話端末２に対応した顧客情報データベースが格納されており、この顧客情報データベースには、顧客（携帯電話端末２を所有する発注者）に関する基本情報（名前、住所、電話番号、メールアドレスなど）、店舗設定データ、注文記録データ（注文番号データ、合計枚数データ、合計金額データ、受取場所データ、予想仕上がり時間データなど）その他が含まれている。
【００３５】
また、店舗サーバ５は、図１に示すように、センターサーバ３から送信された圧縮データを受信する機能（プログラム）と、この圧縮データを解凍（展開）して元の画像データを生成する機能（プログラム）と、この画像データを店舗プリンター８に出力して画像を所定の印刷サイズで印刷する機能（プログラム）とを備えている。
【００３６】
また、ラボサーバ６は、図１に示すように、センターサーバ３から送信された圧縮データを受信する機能（プログラム）と、この圧縮データを解凍して元の画像データを生成する機能（プログラム）と、この画像データをラボプリンター９に出力して画像を所定の印刷サイズで印刷する機能（プログラム）とを備えている。
【００３７】
さらに、情報提供事業者サーバ１０は、図１に示すように、エリア情報や地域データに基づいて店舗を検索する機能（プログラム）と、この検索結果としての近隣店舗情報をインターネット７経由で配信する機能（プログラム）とを備えている。
【００３８】
以上のような構成を有する画像プリントシステム１の作用について、以下に説明する。
【００３９】
この画像プリントシステム１において、携帯電話端末２で撮影した画像をオンラインプリントする際には、顧客は簡単モードまたはアドバンスモードを選択することができる。簡単モードでは、印刷サイズがＬサイズの１種類に固定されているとともに、印刷枚数が１枚ずつに固定されているという欠点はあるものの、操作が簡単なため手軽に注文できるという利点がある。他方、アドバンスモードでは、操作がやや面倒であるという欠点はあるものの、画像ごとに印刷サイズ（Ｌサイズ、２Ｌサイズ、ＫＧサイズ（はがきサイズ）など）および印刷枚数（１枚、２枚、３枚など）を任意に指定できるという利点がある。
【００４０】
まず、簡単モードでオンラインプリントする場合、顧客は、携帯電話端末２の電源ボタン２２を押して電源を入れる。すると、携帯電話端末２は、ディスプレイ２１に待ち受け画面を表示する。次に、顧客は、携帯電話端末２のアプリキー３１を押して画像プリント注文用アプリケーションを立ち上げる。すると、携帯電話端末２は、画像プリント注文用アプリケーションを内部メモリ３０から読み出して起動した後、図１０に示すように、ディスプレイ２１にデータ管理画面Ｐ１を表示し、「画像フォルダ」「設定（お店設定）」「注文確認」の３つの選択肢を示して、いずれかの選択肢を選択するよう顧客に促す（図３に示すフローチャートのステップＳ３０１）。なお、必要に応じて、データ管理画面Ｐ１上の「戻る」ボタンＢ１１をクリックすることにより、直前の画面（つまり、待ち受け画面）に戻ることもできる。
【００４１】
そして、このデータ管理画面Ｐ１を見て顧客は、携帯電話端末２のカーソルキー２５およびセンターキー２４を適宜操作して「画像フォルダ」を選択する（図３に示すフローチャートのステップＳ３０２）。すると、携帯電話端末２は、図１１に示すように、ディスプレイ２１に画像選択画面Ｐ２を表示し、１枚以上（図１１では、６枚）の画像を示して、オンラインプリントしようとする画像を選択するよう顧客に促す（図３に示すフローチャートのステップＳ３０３）。なお、必要に応じて、画像選択画面Ｐ２上の「戻る」ボタンＢ２１をクリックすることにより、直前の画面（つまり、データ管理画面Ｐ１）に戻ることもできる。
【００４２】
そして、この画像選択画面Ｐ２を見て顧客は、携帯電話端末２のカーソルキー２５およびセンターキー２４を適宜操作して、オンラインプリントしようとする１枚以上の画像（図１１では、画像Ａと画像Ｄの２枚）にチェックを入れて選択する。なお、画像選択画面Ｐ２上の「全て選択して注文」ボタンＢ２２をクリックすれば、すべての画像（図１１では、画像Ａ〜Ｆの６枚）を一気に選択することができる。こうして、オンラインプリントしようとする画像をすべて選択したところで、顧客は、画像選択画面Ｐ２上の「注文」ボタンＢ２３をクリックする。すると、携帯電話端末２は、図１２に示すように、ディスプレイ２１に注文確認画面Ｐ３を表示して、表示内容が正しいか否かを確認するよう顧客に促す（図３に示すフローチャートのステップＳ３０４）。
【００４３】
そして、顧客は、この表示内容が正しいことを確認したら、注文確認画面Ｐ３上の「ＯＫ」ボタンＢ３２をクリックする（図３に示すフローチャートのステップＳ３０５）。すると、携帯電話端末２は、図１３に示すように、ディスプレイ２１に受取先選択画面Ｐ４を表示し、メニューとして「お店で受け取る」「宅配で受け取る」「設定（お店設定）」の３つの選択肢を示して、受取先（受取方法）を選択するよう顧客に促す（図４に示すフローチャートのステップＳ４０１）。なお、注文確認画面Ｐ３の表示内容が間違っている場合、顧客は、注文確認画面Ｐ３上の「戻る」ボタンＢ３１をクリックする。すると、携帯電話端末２は、直前の画面、つまり画像選択画面Ｐ２を表示する。これにより、顧客は、オンラインプリントしようとする画像を選択し直すことができる。
【００４４】
そして、この受取先選択画面Ｐ４を見て顧客は、携帯電話端末２のカーソルキー２５およびセンターキー２４を適宜操作することにより、自分が希望する受取先（受取方法）に応じて「お店で受け取る」または「宅配で受け取る」を選択する。なお、必要に応じて、受取先選択画面Ｐ４上の「戻る」ボタンＢ４１をクリックすることにより、直前の画面（つまり、注文確認画面Ｐ３）に戻ることもできる。
【００４５】
すなわち、顧客が店舗での受け取りを希望する場合、顧客は「お店で受け取る」を選択する（図４に示すフローチャートのステップＳ４０２）。すると、携帯電話端末２は、図１３に示すように、受取先選択画面Ｐ４上に、サブメニューとして「いつものお店」「近くのお店」「履歴」の３つの選択肢を示して、いずれかの選択肢を選択するよう顧客に促す（図４に示すフローチャートのステップＳ４０３）。
【００４６】
ここで、顧客がいつものお店での受け取りを希望する場合、顧客は、携帯電話端末２のカーソルキー２５およびセンターキー２４を適宜操作して「いつものお店」を選択する（図４に示すフローチャートのステップＳ４０６）。すると、携帯電話端末２は、店舗設定の有無をセンターサーバ３にオンライン照会する（図５に示すフローチャートのステップＳ５０７）。
【００４７】
その結果、この携帯電話端末２について店舗設定がある場合、携帯電話端末２は、図１４に示すように、この店舗設定に対応した受取場所を含む注文確定画面Ｐ５をディスプレイ２１に表示する（図５に示すフローチャートのステップＳ５０９）。
【００４８】
他方、この携帯電話端末２について店舗設定がない場合、携帯電話端末２は、図９に示す個人情報設定サブルーチンに移行し（図５に示すフローチャートのステップＳ５０８）、以下に述べる手順により、顧客の個人情報をセンターサーバ３に転送し、センターサーバ３は、この個人情報を顧客情報データベースに登録する。
【００４９】
すなわち、この個人情報設定サブルーチンでは、携帯電話端末２は、図２０に示すように、ディスプレイ２１に個人情報設定画面Ｐ１１を表示して、氏名その他の個人情報を入力するよう顧客に促す（図９に示すフローチャートのステップＳ９０１）。そこで、顧客は、携帯電話端末２のダイヤルキー２６、カーソルキー２５およびセンターキー２４を適宜操作して、個人情報設定画面Ｐ１１上の４つのフィールドＦ１、Ｆ２、Ｆ３、Ｆ４にそれぞれ氏名、住所、電話番号、携帯メールアドレスを入力する（図９に示すフローチャートのステップＳ９０２）。次いで、顧客は、いつものお店を検索して設定すべく（図９に示すフローチャートのステップＳ９０３）、その検索方法として「地域から検索」と「位置情報検索」のいずれかを選択する（図９に示すフローチャートのステップＳ９０４）。なお、必要に応じて、個人情報設定画面Ｐ１１上の「戻る」ボタンＢ１１１をクリックすることにより、直前の画面（つまり、受取先選択画面Ｐ４）に戻ることもできる。
【００５０】
そして、「地域から検索」を選択する場合、顧客は、携帯電話端末２のダイヤルキー２６、カーソルキー２５およびセンターキー２４を適宜操作して、個人情報設定画面Ｐ１１上のフィールドＦ５に所望の地域（例えば、高知市、新横浜など）を入力して「検索」ボタンＢ１１３をクリックする（図９に示すフローチャートのステップＳ９０５）。すると、携帯電話端末２は、フィールドＦ５に入力された地域に対応した地域データをインターネット７経由で情報提供事業者サーバ１０に送信する。これを受けて情報提供事業者サーバ１０は、この地域データに基づいて当該地域内にある店舗を検索して地域店舗情報を取得し、この地域店舗情報をインターネット７経由で携帯電話端末２に返信する。これを受けて携帯電話端末２は、この地域店舗情報を「いつものお店」として個人情報設定画面Ｐ１１上のフィールドＦ５に表示する。そして、顧客は、個人情報設定画面Ｐ１１上の５つのフィールドＦ１、Ｆ２、Ｆ３、Ｆ４、Ｆ５にそれぞれ表示された氏名、住所、電話番号、携帯メールアドレス、いつものお店からなる個人情報を確認したら、個人情報設定画面Ｐ１１上の「決定」ボタンＢ１１２をクリックする。すると、携帯電話端末２は、この個人情報をインターネット７経由でセンターサーバ３に転送する（図９に示すフローチャートのステップＳ９０７）。これを受けてセンターサーバ３は、この個人情報を顧客情報データベースに登録する。
【００５１】
また、「位置情報検索」を選択する場合、顧客は、個人情報設定画面Ｐ１１上のフィールドＦ５を空欄にしたまま「検索」ボタンＢ１１３をクリックする（図９に示すフローチャートのステップＳ９０６）。すると、携帯電話端末２は、店舗検索アプリケーションを内部メモリ３０から読み出して起動し、携帯電話端末２の現在位置データを取得し、この現在位置データをインターネット７経由で情報提供事業者サーバ１０に送信する。これを受けて情報提供事業者サーバ１０は、この現在位置データに基づいて近隣の店舗を検索して近隣店舗情報を取得し、この近隣店舗情報をインターネット７経由で携帯電話端末２に返信する。これを受けて携帯電話端末２は、この近隣店舗情報を「いつものお店」として個人情報設定画面Ｐ１１上のフィールドＦ５に表示する。そして、顧客は、個人情報設定画面Ｐ１１上の５つのフィールドＦ１、Ｆ２、Ｆ３、Ｆ４、Ｆ５にそれぞれ表示された氏名、住所、電話番号、携帯メールアドレス、いつものお店からなる個人情報を確認したら、個人情報設定画面Ｐ１１上の「決定」ボタンＢ１１２をクリックする。すると、携帯電話端末２は、この個人情報をインターネット７経由でセンターサーバ３に転送する（図９に示すフローチャートのステップＳ９０７）。これを受けてセンターサーバ３は、この個人情報を顧客情報データベースに登録する。
【００５２】
こうして顧客の個人情報がセンターサーバ３に登録されたところで、個人情報設定サブルーチンが終了する。
【００５３】
次いで、携帯電話端末２は、図１４に示すように、ディスプレイ２１に注文確定画面Ｐ５を表示する（図５に示すフローチャートのステップＳ５０９）。
【００５４】
このように、店舗設定の有無にかかわらず、最終的にはディスプレイ２１に注文確定画面Ｐ５が表示される。
【００５５】
また、図１３に示す受取先選択画面Ｐ４を見た顧客が近くのお店での受け取りを希望する場合、顧客は、携帯電話端末２のカーソルキー２５およびセンターキー２４を適宜操作して「近くのお店」を選択する（図４に示すフローチャートのステップＳ４０５）。すると、携帯電話端末２は、店舗検索アプリケーションを内部メモリ３０から読み出して起動し（図５に示すフローチャートのステップＳ５０４）、図１５に示すように、ディスプレイ２１にエリア情報送信確認画面Ｐ６を表示して、送信内容の確認を顧客に促す。
【００５６】
そして、顧客は、この送信内容を確認したら、エリア情報送信確認画面Ｐ６上の「ＯＫ」ボタンＢ６１をクリックする。すると、携帯電話端末２は、このエリア情報をインターネット７経由で情報提供事業者サーバ１０に送信する。これを受けて情報提供事業者サーバ１０は、このエリア情報に基づいて近隣の店舗を検索して近隣店舗情報を取得し、この近隣店舗情報をインターネット７経由で携帯電話端末２に返信する。これを受けて携帯電話端末２は、図１６に示すように、ディスプレイ２１に近隣店舗リスト画面Ｐ７を表示して、複数の店舗（○×カメラ、○◎プリント、××写真店など）からなる近隣店舗リストの内いずれか１つの店舗を選択するよう顧客に促す（図５に示すフローチャートのステップＳ５０５、Ｓ５０６）。なお、近隣店舗リスト画面Ｐ７には、ディスプレイ２１の表示行数の制約上すべての近隣店舗が表示されるわけではないので、近隣店舗リスト画面Ｐ７に列挙された近隣店舗リストに所望の店舗が含まれていない場合、顧客は、携帯電話端末２のカーソルキー２５を適宜操作して近隣店舗リスト画面Ｐ７上で近隣店舗リストをスクロールさせることにより、情報提供事業者サーバ１０から届いた近隣店舗情報による近隣店舗を順に表示させることができる。また、必要に応じて、近隣店舗リスト画面Ｐ７上の「戻る」ボタンＢ７１をクリックすることにより、直前の画面（つまり、エリア情報送信確認画面Ｐ６）に戻ることもできる。
【００５７】
そして、この近隣店舗リスト画面Ｐ７を見て顧客は、携帯電話端末２のカーソルキー２５およびセンターキー２４を適宜操作することにより、近隣店舗リストから所望の店舗を１つ選択する。すると、携帯電話端末２は、図１７に示すように、顧客が選択した店舗の詳細情報（住所、地図）を示す近隣店舗詳細情報画面Ｐ８をディスプレイ２１に表示して、表示内容の確認を顧客に促す。なお、必要に応じて、近隣店舗詳細情報画面Ｐ８上の「戻る」ボタンＢ８１をクリックすることにより、直前の画面（つまり、近隣店舗リスト画面Ｐ７）に戻ることもできる。
【００５８】
そして、顧客は、この表示内容を確認したら、近隣店舗詳細情報画面Ｐ８上の「次へ」ボタンＢ８２をクリックする。すると、携帯電話端末２は、図１４に示すように、ディスプレイ２１に注文確定画面Ｐ５を表示する（図５に示すフローチャートのステップＳ５０９）。
【００５９】
さらに、図１３に示す受取先選択画面Ｐ４において、これまでに顧客が選択した受取先の履歴を参照したい場合、顧客は、携帯電話端末２のカーソルキー２５およびセンターキー２４を適宜操作して「履歴」を選択する（図４に示すフローチャートのステップＳ４０４）。すると、携帯電話端末２は、これまでの注文記録データ（注文番号データ、合計枚数データ、合計金額データ、受取場所データ、予想仕上がり時間データなど）を内部メモリ３０から読み出し、この注文記録データの中から受取場所データをすべて拾い出してディスプレイ２１に表示する。これらの受取場所データを見て顧客は、携帯電話端末２のカーソルキー２５およびセンターキー２４を適宜操作することにより、これらの受取場所データから所望の受取先を選択する。すると、携帯電話端末２は、図１４に示すように、ディスプレイ２１に注文確定画面Ｐ５を表示する（図５に示すフローチャートのステップＳ５０９）。
【００６０】
このようにして、顧客の希望に応じて「いつものお店」「近くのお店」または「履歴」が選択された後、携帯電話端末２のディスプレイ２１に注文確定画面Ｐ５が表示されたところで、顧客は、この注文確定画面Ｐ５を確認したら、注文確定画面Ｐ５上の「確定」ボタンＢ５２をクリックする。すると、携帯電話端末２は、注文記録データを生成して内部メモリ３０に保存した後、図２２に示すように、この注文記録データに基づく注文記録からなる確定注文確認画面Ｐ１３をディスプレイ２１に表示する（図６に示すフローチャートのステップＳ６０１）。なお、必要に応じて、注文確定画面Ｐ５上の「戻る」ボタンＢ５１をクリックすることにより、直前の画面（つまり、注文確定画面Ｐ１１）に戻ることもできる。
【００６１】
そして、顧客は、この注文記録を確認したら、確定注文確認画面Ｐ１３上の「次へ」ボタンＢ１３２をクリックする。すると、携帯電話端末２は、ファイル圧縮アプリケーションを内部メモリ３０から読み出して起動し（図６に示すフローチャートのステップＳ６０２）、顧客がオンラインプリントを希望する画像の画像データを圧縮して別のファイル形式の圧縮データを生成した後、この圧縮データを注文記録データとともにインターネット７経由でセンターサーバ３あてに送信する（図６に示すフローチャートのステップＳ６０３）。このとき、画像データは、その画質劣化を回避する圧縮方法により、注文記録データの印刷サイズとは関係なく一律に圧縮される。なお、必要に応じて、確定注文確認画面Ｐ１３上の「戻る」ボタンＢ１３１をクリックすることにより、直前の画面（つまり、注文確定画面Ｐ５）に戻ることもできる。
【００６２】
そして、センターサーバ３は、プリント画像の受取方法（店舗での受取か宅配による受取か）に応じて画像データの出力場所を自動的に振り分けて、店舗サーバ５またはラボサーバ６に圧縮データを転送する（図６に示すフローチャートのステップＳ６０４）。
【００６３】
ここでは、顧客が店舗での受取を選択しているので、センターサーバ３は店舗サーバ５に圧縮データを転送する（図６に示すフローチャートのステップＳ６０７）。これを受けて店舗サーバ５は、圧縮データを圧縮状態のままインターネット７経由で受信した後、この圧縮データを解凍して元の画像データを生成し（図６に示すフローチャートのステップＳ６０８）、この画像データを店舗プリンター８に出力して画像を適正な印刷サイズ（簡単モードにおいては、予め設定されたＬサイズ）で印刷する（図７に示すフローチャートのステップＳ７０７）。このとき、画像データは、上述したとおり、携帯電話端末２側での圧縮時において画質が劣化していないので、高品質な印刷を実現することが可能となる。
【００６４】
その後、店舗サーバ５は、この画像を店舗プリンター８で印刷した旨の情報、つまり出力確認情報をセンターサーバ３に送信するとともに（図７に示すフローチャートのステップＳ７０８）、プリント画像を梱包し、顧客が受け取りに来るまで保管するよう指示する（図７に示すフローチャートのステップＳ７０９）。
【００６５】
また、センターサーバ３は、出力確認情報を受信すると、顧客情報データベースを参照して、顧客メールアドレスが登録されているか否かを確認する（図７に示すフローチャートのステップＳ７０４）。その結果、顧客メールアドレスが登録されていない場合、センターサーバ３は何もアクションを起こさない（図７に示すフローチャートのステップＳ７０５）。他方、顧客メールアドレスが登録されている場合、センターサーバ３は、インターネット７経由で携帯電話端末２あてに仕上がりメールを送信する（図７に示すフローチャートのステップＳ７０６）。この仕上がりメールを受信すると、携帯電話端末２は、図２１に示すように、プリント作業が完了した旨のメール画面Ｐ１２をディスプレイ２１に表示する。これを見て顧客は、プリント作業が完了したことを知るので、それ以降いつでもお店でプリント画像を受け取ることができる。
【００６６】
なお、顧客は、店舗でプリント画像を受け取るときに、携帯電話端末２の確定注文確認画面Ｐ１３を店員に提示する。それには、顧客は、携帯電話端末２の電源ボタン２２を押して電源を入れた後、画像プリント注文用アプリケーションを内部メモリ３０から読み出して起動する。すると、携帯電話端末２は、図１０に示すように、ディスプレイ２１にデータ管理画面Ｐ１を表示し、「画像フォルダ」「設定（お店設定）」「注文確認」の３つの選択肢を示して、いずれかの選択肢を選択するよう顧客に促す（図３に示すフローチャートのステップＳ３０１）。そこで、顧客は、携帯電話端末２のカーソルキー２５およびセンターキー２４を適宜操作して「注文確認」を選択する（図３に示すフローチャートのステップＳ３０８）。すると、携帯電話端末２は、これまでの注文記録データを内部メモリ３０から読み出し、図２３に示すように、この注文記録データに基づく注文番号が１つ以上列挙された注文確認画面Ｐ１４をディスプレイ２１に表示する（図３に示すフローチャートのステップＳ３０９）。これを見て顧客は、携帯電話端末２のカーソルキー２５およびセンターキー２４を適宜操作して、店舗で受け取りたい注文番号を選択する。すると、携帯電話端末２は、図２２に示すように、顧客が選択した注文番号について、その確定注文確認画面Ｐ１３をディスプレイ２１に表示する。そして、顧客は、この確定注文確認画面Ｐ１３を店員に提示する。これにより、顧客、携帯電話端末２を持参して提示するだけでプリント画像を簡単に受け取ることができ、また、店舗はプリント画像の受渡時の本人確認を簡便に実施することが可能となる。なお、必要に応じて、確定注文確認画面Ｐ１３上の「戻る」ボタンＢ１３１をクリックすることにより、直前の画面（つまり、注文確認画面Ｐ１４）に戻ることもできる。さらに、必要に応じて、注文確認画面Ｐ１４上の「戻る」ボタンＢ１４１をクリックすることにより、直前の画面（つまり、データ管理画面Ｐ１）に戻ることもできる。
【００６７】
このように、店舗でプリント画像を受け取る場合、画像データは、携帯電話端末２からラボサーバ６または店舗サーバ５まで圧縮データとして圧縮状態でやり取り（転送）されることになる。したがって、発注者（顧客）にとっては、画像データの送信にかかる時間と費用を削減することができるため、利便性を高めることが可能となる。また、キャリアにとっては、重い画像データのやり取りで回線が占有される事態を避けることができるため、前向きに取り組みやすくなる。これらの結果、オンラインプリントの環境が整備され、発注者が携帯電話端末２で撮影した画像を手軽にプリントすることが可能となる。
【００６８】
さらに、発注者（顧客）の都合でプリント画像の受取先をいつものお店または近くのお店と任意に決めることができるため、プリント画像の受取時の利便性が向上する。
【００６９】
また、図１３に示す受取先選択画面Ｐ４のメニューを見た顧客が宅配での受け取りを希望する場合、顧客は「宅配で受け取る」を選択する（図４に示すフローチャートのステップＳ４０７）。すると、携帯電話端末２は、図１３に示すように、受取先選択画面Ｐ４上に、サブメニューとして「自宅に配送」「新規設定」「履歴」の３つの選択肢を示して、いずれかの選択肢を選択するよう顧客に促す（図４に示すフローチャートのステップＳ４０８）。
【００７０】
そして、顧客が自宅への宅配を希望する場合、顧客は、携帯電話端末２のカーソルキー２５およびセンターキー２４を適宜操作して「自宅に配送」を選択する（図４に示すフローチャートのステップＳ４１２）。すると、携帯電話端末２は、図１８に示すように、ディスプレイ２１に自宅配送画面Ｐ９を表示して、配送先の事前登録を行うか否かの決定を顧客に促す（図５に示すフローチャートのステップＳ５０１）。
【００７１】
ここで、顧客が配送先の事前登録を行う場合、顧客は、自宅配送画面Ｐ９上の「登録」ボタンＢ９２をクリックする。すると、携帯電話端末２は、配送先の入力画面をディスプレイ２１に表示して、配送先の入力を顧客に促す。そして、顧客は、携帯電話端末２のダイヤルキー２６、カーソルキー２５およびセンターキー２４を適宜操作して配送先を入力した後、配送先の変更（誤入力の場合など）が必要か否かを確認し、その要否に応じて所定の操作を行う（図５に示すフローチャートのステップＳ５０２）。すなわち、配送先の変更が不要なときに対応した操作が行われた場合、携帯電話端末２は、図１４に示すように、ディスプレイ２１に注文確定画面Ｐ５を表示して、注文内容を確認するよう顧客に促す（図５に示すフローチャートのステップＳ５０９）。また、配送先の変更が必要なときに対応した操作が行われた場合、携帯電話端末２は、個人情報設定サブルーチンに移行し（図５に示すフローチャートのステップＳ５０３）、上述した手順と同様に、配送先を含む個人情報をセンターサーバ３に転送した後、図１４に示すように、ディスプレイ２１に注文確定画面Ｐ５を表示して、注文内容を確認するよう顧客に促す（図５に示すフローチャートのステップＳ５０９）。
【００７２】
一方、顧客が配送先の事前登録を行わない場合、顧客は、自宅配送画面Ｐ９上の「戻る」ボタンＢ９１をクリックする。この場合、配達先（自宅）が未登録であり、実際に宅配することができないので、図４に示すフローチャートのステップＳ４０８に戻り、携帯電話端末２は、受取先選択画面Ｐ４上にサブメニューを再び表示する。
【００７３】
また、図１３に示す受取先選択画面Ｐ４において、顧客が新規設定を希望する場合、顧客は、携帯電話端末２のカーソルキー２５およびセンターキー２４を適宜操作して「新規設定」を選択する（図４に示すフローチャートのステップＳ４１０）。すると、携帯電話端末２は、ディスプレイ２１に配送先入力画面を表示して、配送先の入力を顧客に促す（図４に示すフローチャートのステップＳ４１１）。次に、携帯電話端末２は、図１８に示すように、ディスプレイ２１に自宅配送画面Ｐ９を表示して、配送先の事前登録を行うか否かの決定を顧客に促す（図５に示すフローチャートのステップＳ５０１）。これ以降は、上述した「自宅に配送」と同様の手順で進行する（図５に示すフローチャートのステップＳ５０２、Ｓ５０３）。その結果、配送先が登録された場合、携帯電話端末２は、ディスプレイ２１に注文確定画面Ｐ５を表示して、注文内容を確認するよう顧客に促す（図５に示すフローチャートのステップＳ５０９）。
【００７４】
さらに、図１３に示す受取先選択画面Ｐ４において、これまでに顧客が入力した配送先の履歴を参照したい場合、顧客は、携帯電話端末２のカーソルキー２５およびセンターキー２４を適宜操作して「履歴」を選択する（図４に示すフローチャートのステップＳ４０９）。すると、携帯電話端末２は、これまでの注文記録を内部メモリ３０から読み出し、この注文記録の中から配送先データをすべて拾い出してディスプレイ２１に表示する。これらの配送先データを見て顧客は、配送先の変更が必要か否かを確認し、その要否に応じて所定の操作を行う（図５に示すフローチャートのステップＳ５０２）。そして、配送先の変更が不要なときに対応した操作が行われた場合、携帯電話端末２は、図１４に示すように、ディスプレイ２１に注文確定画面Ｐ５を表示して、注文内容を確認するよう顧客に促す（図５に示すフローチャートのステップＳ５０９）。また、配送先の変更が必要なときに対応した操作が行われた場合、携帯電話端末２は、個人情報設定サブルーチンに移行し（図５に示すフローチャートのステップＳ５０３）、上述した手順と同様に、個人情報をセンターサーバ３に転送した後、図１４に示すように、ディスプレイ２１に注文確定画面Ｐ５を表示して、注文内容を確認するよう顧客に促す（図５に示すフローチャートのステップＳ５０９）。
【００７５】
このようにして、顧客の希望に応じて「自宅に配送」「新規設定」または「履歴」が選択された後、携帯電話端末２のディスプレイ２１に注文確定画面Ｐ５が表示されたところで、顧客は、この注文確定画面Ｐ５を確認したら、注文確定画面Ｐ５上の「確定」ボタンＢ５２をクリックする。これ以降は、上述した「お店で受け取る」と同様の手順で進行する。
【００７６】
ただし、ここでは顧客が宅配による受取を選択しているので、センターサーバ３はラボサーバ６に圧縮データを転送する（図６に示すフローチャートのステップＳ６０５）。これを受けてラボサーバ６は、圧縮データを圧縮状態のままインターネット７経由で受信した後、この圧縮データを解凍して元の画像データを生成し（図６に示すフローチャートのステップＳ６０６）、この画像データをラボプリンター９に出力して画像を適正な印刷サイズ（簡単モードにおいては、予め設定されたＬサイズ）で印刷する（図７に示すフローチャートのステップＳ７０１）。このとき、画像データは、上述したとおり、携帯電話端末２側での圧縮時において画質が劣化していないので、高品質な印刷を実現することが可能となる。
【００７７】
その後、ラボサーバ６は、この画像をラボプリンター９で印刷した旨の情報、つまり出力確認情報をセンターサーバ３に送信するとともに（図７に示すフローチャートのステップＳ７０２）、プリント画像を梱包し、顧客が指定した配達先（自宅ほか）に配送するよう指示する（図７に示すフローチャートのステップＳ７０３）。
【００７８】
また、センターサーバ３は、出力確認情報を受信すると、顧客情報データベースを参照して、顧客メールアドレスが登録されているか否かを確認する（図７に示すフローチャートのステップＳ７０４）。その結果、顧客メールアドレスが登録されていない場合、センターサーバ３は何もアクションを起こさない（図７に示すフローチャートのステップＳ７０５）。他方、顧客メールアドレスが登録されている場合、センターサーバ３は、インターネット７経由で携帯電話端末２あてに仕上がりメールを送信する（図７に示すフローチャートのステップＳ７０６）。この仕上がりメールを受信すると、携帯電話端末２は、図２１に示すように、プリント作業が完了した旨のメール画面Ｐ１２をディスプレイ２１に表示する。これを見て顧客は、プリント作業が完了したことを知るので、近いうちにプリント画像が配達先に届くことがわかる。
【００７９】
なお、顧客は、自宅ほかの配達先でプリント画像を受け取るときも、店舗でプリント画像を受け取るときと同様の手順で、携帯電話端末２の確定注文確認画面Ｐ１３を店員に提示する。これにより、顧客は配達先で携帯電話端末２を提示するだけでプリント画像を簡単に受け取ることができ、また、店舗（或いは、店舗から委託された宅配業者）はプリント画像の受渡時の本人確認を簡便に実施することが可能となる。
【００８０】
このように、自宅ほかの配達先でプリント画像を受け取る場合も、画像データは、携帯電話端末２からラボサーバ６または店舗サーバ５まで圧縮データとして圧縮状態でやり取り（転送）されることになる。したがって、発注者（顧客）にとっては、画像データの送信にかかる時間と費用を削減することができるため、利便性を高めることが可能となる。また、キャリアにとっては、重い画像データのやり取りで回線が占有される事態を避けることができるため、前向きに取り組みやすくなる。これらの結果、オンラインプリントの環境が整備され、発注者が携帯電話端末２で撮影した画像を手軽にプリントすることが可能となる。
【００８１】
しかも、簡単モードでは、画像のプリントに際して、画像データの出力場所がプリント画像の受取方法（店舗での受取か宅配による受取か）に応じて振り分けられるため、プリントの受注から受渡までの所要時間を短縮することができる。
【００８２】
次に、アドバンスモードでオンラインプリントする場合、顧客は、図１２に示す注文確認画面Ｐ３において、「アドバンスモード」ボタンＢ３３をクリックする（図３に示すフローチャートのステップＳ３１０）。すると、携帯電話端末２は、図１９に示すように、ディスプレイ２１にサイズ・枚数選択画面Ｐ１０を表示し、画像ごとに印刷サイズおよび印刷枚数を指定するよう顧客に促す（図８に示すフローチャートのステップＳ８０１）。なお、必要に応じて、サイズ・枚数選択画面Ｐ１０上の「戻る」ボタンＢ１０１をクリックすることにより、直前の画面（つまり、注文確認画面Ｐ３）に戻ることもできる。
【００８３】
そこで、顧客は、携帯電話端末２のカーソルキー２５およびセンターキー２４を適宜操作してプルダウンメニューから所望の候補を選択することにより、画像ごとに印刷サイズおよび印刷枚数を指定する。例えば、図１９に示すサイズ・枚数選択画面Ｐ１０は、画像ＡをＬサイズ２枚、画像Ｂを２Ｌサイズ１枚、画像ＣをＬサイズ２枚、画像ＤをＬサイズ３枚、それぞれ選択した状態を示している。
【００８４】
次いで、顧客は、これに追加する画像があるか否かを判断し（図８に示すフローチャートのステップＳ８０２）、追加する画像がない場合には、サイズ・枚数選択画面Ｐ１０上の「次へ」ボタンＢ１０３をクリックする。すると、携帯電話端末２は、図１３に示すように、ディスプレイ２１に受取先選択画面Ｐ４を表示する（図４に示すフローチャートのステップＳ４０１）。これ以降は、上述した簡単モードと同様の手順で進行する。ただし、注文記録データには、ここで顧客が画像ごとに指定した印刷サイズおよび印刷枚数が書き込まれる。そのため、ラボプリンター９や店舗プリンター８では、各画像が適正な印刷サイズ（アドバンスモードにおいては、顧客が指定した印刷サイズ）および適正な印刷枚数（アドバンスモードにおいては、顧客が指定した印刷枚数）で印刷されることになる。このとき、画像データは、上述したとおり、携帯電話端末２側での圧縮時において画質が劣化していないので、高品質な印刷を実現することが可能となる。
【００８５】
また、追加する画像がある場合、顧客は、サイズ・枚数選択画面Ｐ１０上の「追加」ボタンＢ１０２をクリックする。すると、携帯電話端末２は、画像Ｅ、画像Ｆ、…からなるサイズ・枚数選択画面Ｐ１０をディスプレイ２１に表示するので、顧客は、同様の手順で画像ごとに印刷サイズおよび印刷枚数を指定する（図８に示すフローチャートのステップＳ８０３）。そして、顧客は、オンラインプリントしたいすべての画像を指定し終えるまで同じ操作を繰り返し、追加する画像がなくなった時点で、サイズ・枚数選択画面Ｐ１０上の「次へ」ボタンＢ１０３をクリックする。すると、携帯電話端末２は、図１３に示すように、ディスプレイ２１に受取先選択画面Ｐ４を表示する（図４に示すフローチャートのステップＳ４０１）。これ以降は、上述した簡単モードと同様の手順で進行する。ただし、注文記録データには、ここで顧客が画像ごとに指定した印刷サイズおよび印刷枚数が書き込まれる。そのため、ラボプリンター９や店舗プリンター８では、各画像が適正な印刷サイズ（アドバンスモードにおいては、顧客が指定した印刷サイズ）および適正な印刷枚数（アドバンスモードにおいては、顧客が指定した印刷枚数）で印刷されることになる。このとき、画像データは、上述したとおり、携帯電話端末２側での圧縮時において画質が劣化していないので、高品質な印刷を実現することが可能となる。
【００８６】
このように、アドバンスモードにおいても、上述した簡単モードと同様、画像データは、携帯電話端末２からラボサーバ６または店舗サーバ５まで圧縮データとして圧縮状態でやり取り（転送）されることになる。したがって、発注者（顧客）にとっては、画像データの送信にかかる時間と費用を削減することができるため、利便性を高めることが可能となる。また、キャリアにとっては、重い画像データのやり取りで回線が占有される事態を避けることができるため、前向きに取り組みやすくなる。これらの結果、オンラインプリントの環境が整備され、発注者が携帯電話端末２で撮影した画像を手軽にプリントすることが可能となる。
【００８７】
しかも、アドバンスモードでも、簡単モードと同様、画像のプリントに際して、画像データの出力場所がプリント画像の受取方法（店舗での受取か宅配による受取か）に応じて振り分けられるため、プリントの受注から受渡までの所要時間を短縮することができる。
【００８８】
さらに、発注者（顧客）の都合でプリント画像の受取先をいつものお店または近くのお店と任意に決めることができるため、プリント画像の受取時の利便性が向上する。
【００８９】
なお、顧客が簡単モードやアドバンスモードでオンラインプリントするのに先立ち、自分の名前、住所、電話番号、メールアドレスなどの基本情報を設定する場合、顧客は、図１０に示すデータ管理画面Ｐ１において、携帯電話端末２のカーソルキー２５およびセンターキー２４を適宜操作して「設定（お店設定）」を選択するか（図３に示すフローチャートのステップＳ３０６）、図１３に示す受取先選択画面Ｐ４において、携帯電話端末２のカーソルキー２５およびセンターキー２４を適宜操作して「設定（お店設定）」を選択する（図４に示すフローチャートのステップＳ４１３）。すると、携帯電話端末２は、個人情報設定サブルーチンに移行し（図３に示すフローチャートのステップＳ３０７、図４に示すフローチャートのステップＳ４１４）、上述した手順と同様に、個人情報をセンターサーバ３に転送した後、元のデータ管理画面Ｐ１または受取先選択画面Ｐ４に戻る。
【００９０】
また、顧客がオンラインプリントを注文した後、その注文内容を確認する場合、顧客は、図１０に示すデータ管理画面Ｐ１において、携帯電話端末２のカーソルキー２５およびセンターキー２４を適宜操作して「注文確認」を選択する（図３に示すフローチャートのステップＳ３０８）。すると、携帯電話端末２は、これまでの注文記録データを内部メモリ３０から読み出し、図２３に示すように、この注文記録データに基づく注文番号が１つ以上列挙された注文確認画面Ｐ１４をディスプレイ２１に表示する（図３に示すフローチャートのステップＳ３０９）。これを見て顧客は、携帯電話端末２のカーソルキー２５およびセンターキー２４を適宜操作して、注文内容を確認したい注文番号を選択する。すると、携帯電話端末２は、図２２に示すように、顧客が選択した注文番号について、その確定注文確認画面Ｐ１３をディスプレイ２１に表示する。したがって、顧客は、この確定注文確認画面Ｐ１３を見ることにより、注文内容を簡単に確認することができる。
［発明のその他の実施の形態］
【００９１】
なお、上述した実施の形態１では、携帯電話端末２で撮影された画像の画像データを圧縮する際に、印刷サイズとは関係なく一律に別のファイル形式に圧縮する場合について説明したが、現状のファイル形式（例えば、ＪＰＧ形式）のまま印刷サイズに合わせて画像データをリサイズすることも可能である。この場合、ラボサーバ６や店舗サーバ５で圧縮データを解凍する手間が必要なくなるので、ラボサーバ６や店舗サーバ５における作業時間、ひいてはプリントの受注から受渡までの所要時間を短縮することができる。
【００９２】
また、上述した実施の形態１では、モバイル端末として携帯電話端末２を用いる場合について説明した。しかし、本発明では、通信機能および撮像機能を備えている限り、携帯電話端末２以外のモバイル端末（例えば、ＰＤＡ（携帯情報端末）、ゲーム機など）を代用することもできる。
【００９３】
さらに、上述した実施の形態１では、印刷物としてプリント画像を取り上げて説明したが、プリント画像以外の印刷物（例えば、マグカップ、コースター、Ｔシャツ、トレーナー、タオル、メモ用紙などの素材に印刷を施した物）を代用することも可能である。
【００９４】
さらにまた、上述した実施の形態１では、画像処理サーバとして店舗サーバ５およびラボサーバ６を用いる場合について説明したが、これら店舗サーバ５、ラボサーバ６以外の画像処理サーバを代用することもできる。また、画像処理サーバの台数は、２台に限るわけではなく、１台以上であれば何台でも構わない。
【００９５】
また、上述した実施の形態１では、プリンターとして店舗プリンター８およびラボプリンター９を用いる場合について説明したが、これら店舗プリンター８、ラボプリンター９以外のプリンターを代用することもできる。
【００９６】
また、上述した実施の形態１では、携帯電話端末２、センターサーバ３、店舗サーバ５、ラボサーバ６および情報提供事業者サーバ１０をつなぐ通信ネットワークとしてインターネット７を利用する場合について説明したが、パソコン通信の専用回線によるネットワークやイントラネット、エクストラネットなどをこの通信ネットワークとして利用することも可能である。
【図面の簡単な説明】
【００９７】
【図１】本発明の実施の形態１に係る画像プリントシステムの全体構成を示すブロック図である。
【図２】同実施の形態１に係る携帯電話端末の正面図である。
【図３】同実施の形態１に係る画像プリントシステムにおける業務の流れ１（開始から注文確認まで）を示すフローチャートである。
【図４】同実施の形態１に係る画像プリントシステムにおける業務の流れ２（受取先の選定）を示すフローチャートである。
【図５】同実施の形態１に係る画像プリントシステムにおける業務の流れ３（受取先の選定から注文確定まで）を示すフローチャートである。
【図６】同実施の形態１に係る画像プリントシステムにおける業務の流れ４（注文記録の保存から解凍まで）を示すフローチャートである。
【図７】同実施の形態１に係る画像プリントシステムにおける業務の流れ５（プリンター出力から配送・受渡まで）を示すフローチャートである。
【図８】同実施の形態１に係る画像プリントシステムにおける業務の流れ６（アドバンスモード注文）を示すフローチャートである。
【図９】同実施の形態１に係る画像プリントシステムにおける業務の流れ７（発注者情報の設定）を示すフローチャートである。
【図１０】同実施の形態１に係る携帯電話端末の画面１（データ管理画面）を示す模式図である。
【図１１】同実施の形態１に係る携帯電話端末の画面２（画像選択画面）を示す模式図である。
【図１２】同実施の形態１に係る携帯電話端末の画面３（注文確認画面）を示す模式図である。
【図１３】同実施の形態１に係る携帯電話端末の画面４（受取先選択画面）を示す模式図である。
【図１４】同実施の形態１に係る携帯電話端末の画面５（注文確定画面）を示す模式図である。
【図１５】同実施の形態１に係る携帯電話端末の画面６（エリア情報送信確認画面）を示す模式図である。
【図１６】同実施の形態１に係る携帯電話端末の画面７（近隣店舗リスト画面）を示す模式図である。
【図１７】同実施の形態１に係る携帯電話端末の画面８（近隣店舗詳細情報画面）を示す模式図である。
【図１８】同実施の形態１に係る携帯電話端末の画面９（自宅配送画面）を示す模式図である。
【図１９】同実施の形態１に係る携帯電話端末の画面１０（サイズ・枚数選択画面）を示す模式図である。
【図２０】同実施の形態１に係る携帯電話端末の画面１１（個人情報設定画面）を示す模式図である。
【図２１】同実施の形態１に係る携帯電話端末の画面１２（メール画面）を示す模式図である。
【図２２】同実施の形態１に係る携帯電話端末の画面１３（確定注文確認画面）を示す模式図である。
【図２３】同実施の形態１に係る携帯電話端末の画面１４（注文確認画面）を示す模式図である。
【符号の説明】
【００９８】
１……画像プリントシステム
２……携帯電話端末（モバイル端末）
３……センターサーバ
５……店舗サーバ（画像処理サーバ）
６……ラボサーバ（画像処理サーバ）
７……インターネット（通信ネットワーク）
８……店舗プリンター（プリンター）
９……ラボプリンター（プリンター）
１０……情報提供事業者サーバ
【図１】
2008305334.tif 000003
【図２】
2008305334.tif 000004
【図３】
2008305334.tif 000005
【図４】
2008305334.tif 000006
【図５】
2008305334.tif 000007
【図６】
2008305334.tif 000008
【図７】
2008305334.tif 000009
【図８】
2008305334.tif 000010
【図９】
2008305334.tif 000011
【図１０】
2008305334.tif 000012
【図１１】
2008305334.tif 000013
【図１２】
2008305334.tif 000014
【図１３】
2008305334.tif 000015
【図１４】
2008305334.tif 000016
【図１５】
2008305334.tif 000017
【図１６】
2008305334.tif 000018
【図１７】
2008305334.tif 000019
【図１８】
2008305334.tif 000020
【図１９】
2008305334.tif 000021
【図２０】
2008305334.tif 000022
【図２１】
2008305334.tif 000023
【図２２】
2008305334.tif 000024
【図２３】
2008305334.tif 000025